【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
画像の読み取りのための設定を含む複数のプロファイルを記憶し当該プロファイルに含まれる画像の読み取りのための設定を変更可能な情報処理装置と接続可能な画像形成装置であって、
前記複数のプロファイルそれぞれを示す情報を取得する取得手段と、
前記取得手段により取得された前記情報に基づいて１つのプロファイルを選択する選択手段と、
前記選択手段により選択された前記１つのプロファイルを識別する識別情報を前記情報処理装置に送信する第１の送信手段と、
前記情報処理装置から、前記識別情報により識別されるプロファイルに含まれる前記画像の読み取りのための設定に従った前記画像の読み取りの指示を受信する受信手段と、
前記受信手段により受信した指示が表す設定と、前記選択手段により選択された前記１つのプロファイルに含まれる前記画像の読み取りのための設定とが対応しているか否かを判定する判定手段と、
前記判定手段により対応していないと判定された場合に、前記選択手段により選択された前記１つのプロファイルに含まれる前記画像の読み取りのための設定に従って前記画像を読み取って画像データを生成する読取手段と
を備えることを特徴とする画像形成装置。
【請求項２】
前記判定手段により対応していないと判定された場合に、前記受信手段により受信した指示が表す設定を、前記選択手段により選択された前記１つのプロファイルに含まれる前記画像の読み取りのための設定に変更する変更手段を更に備え、
前記読取手段は、前記変更手段によって変更された設定に従って前記画像を読み取って画像データを生成する、ことを特徴とする請求項１記載の画像形成装置。
【請求項３】
画像の読み取りのための設定を含む複数のプロファイルを記憶し当該プロファイルに含まれる画像の読み取りのための設定を変更可能な情報処理装置と接続可能な画像形成装置であって、
前記複数のプロファイルそれぞれを示す情報を取得する取得手段と、
前記取得手段により取得された前記情報に基づいて１つのプロファイルを選択する選択手段と、
前記選択手段により選択された前記１つのプロファイルを識別する識別情報を前記情報処理装置に送信する第１の送信手段と、
前記情報処理装置から、前記識別情報により識別されるプロファイルに含まれる前記画像の読み取りのための設定に従った前記画像の読み取りの指示を受信する受信手段と、
前記受信手段により受信した指示が表す設定と、前記選択手段により選択された前記１つのプロファイルに含まれる前記画像の読み取りのための設定とが対応しているか否かを判定する判定手段と、
前記判定手段により対応していないと判定された場合に、前記受信手段により受信した指示が表す設定と、前記選択手段により選択された前記１つのプロファイルに含まれる前記画像の読み取りのための設定とが対応していない旨を表示する表示手段と
を備えることを特徴とする画像形成装置。
【請求項４】
前記画像の読み取りのための設定とは、カラーモードで前記画像を読み取るか、若しくは、白黒モードで前記画像を読み取るかであることを特徴とする請求項１乃至３のいずれか１項に記載の画像形成装置。
【請求項５】
前記情報処理装置が、前記画像形成装置において読み取られた画像データを記憶し、該画像データを前記画像形成装置に送信するとともに、該画像データに基づく印刷を指示する情報処理装置であり、
前記画像形成装置は、
前記読取手段により読み取られた画像データを前記情報処理装置に送信する第２の送信手段と、
前記情報処理装置からの印刷の指示に従って、該指示とともに送信された前記画像データを印刷処理する印刷手段と、をさらに備えることを特徴とする請求項４に記載の画像形成装置。
【請求項６】
画像の読み取りのための設定を含む複数のプロファイルを記憶し当該プロファイルに含まれる画像の読み取りのための設定を変更可能な情報処理装置と接続可能な画像形成装置の制御方法であって、
前記複数のプロファイルそれぞれを示す情報を取得する取得工程と、
前記取得工程において取得された前記情報に基づいて１つのプロファイルを選択する選択工程と、
前記選択工程において選択された前記１つのプロファイルを識別する識別情報を前記情報処理装置に送信する第１の送信工程と、
前記情報処理装置から、前記識別情報により識別されるプロファイルに含まれる前記画像の読み取りのための設定に従った前記画像の読み取りの指示を受信する受信工程と、
前記受信工程において受信した指示が表す設定と、前記選択工程において選択された前記１つのプロファイルに含まれる前記画像の読み取りのための設定とが対応しているか否かを判定する判定工程と、
前記判定工程において対応していないと判定された場合に、前記選択工程において選択された前記１つのプロファイルに含まれる前記画像の読み取りのための設定に従って前記画像を読み取って画像データを生成する読取工程と
を有することを特徴とする画像形成装置の制御方法。
【請求項７】
画像の読み取りのための設定を含む複数のプロファイルを記憶し当該プロファイルに含まれる画像の読み取りのための設定を変更可能な情報処理装置と接続可能な画像形成装置の制御方法であって、
前記複数のプロファイルそれぞれを示す情報を取得する取得工程と、
前記取得工程において取得された前記情報に基づいて１つのプロファイルを選択する選択工程と、
前記選択工程において選択された前記１つのプロファイルを識別する識別情報を前記情報処理装置に送信する第１の送信工程と、
前記情報処理装置から、前記識別情報により識別されるプロファイルに含まれる前記画像の読み取りのための設定に従った前記画像の読み取りの指示を受信する受信工程と、
前記受信工程において受信した指示が表す設定と、前記選択工程において選択された前記１つのプロファイルに含まれる前記画像の読み取りのための設定とが対応しているか否かを判定する判定工程と、
前記判定工程において対応していないと判定された場合に、前記受信工程において受信した指示が表す設定と、前記選択工程において選択された前記１つのプロファイルに含まれる前記画像の読み取りのための設定とが対応していない旨を表示する表示工程と
を有することを特徴とする画像形成装置の制御方法。
【請求項８】
請求項６又は７に記載の制御方法の各工程をコンピュータに実行させるためのプログラム。
【手続補正２】
【補正対象書類名】明細書
【補正対象項目名】００１１
【補正方法】変更
【補正の内容】
【００１１】
上記課題を解決するため、本発明に係る画像形成装置は、画像の読み取りのための設定を含む複数のプロファイルを記憶し当該プロファイルに含まれる画像の読み取りのための設定を変更可能な情報処理装置と接続可能な画像形成装置であって、
前記複数のプロファイルそれぞれを示す情報を取得する取得手段と、
前記取得手段により取得された前記情報に基づいて１つのプロファイルを選択する選択手段と、
前記選択手段により選択された前記１つのプロファイルを識別する識別情報を前記情報処理装置に送信する第１の送信手段と、
前記情報処理装置から、前記識別情報により識別されるプロファイルに含まれる前記画像の読み取りのための設定に従った前記画像の読み取りの指示を受信する受信手段と、
前記受信手段により受信した指示が表す設定と、前記選択手段により選択された前記１つのプロファイルに含まれる前記画像の読み取りのための設定とが対応しているか否かを判定する判定手段と、
前記判定手段により対応していないと判定された場合に、前記選択手段により選択された前記１つのプロファイルに含まれる前記画像の読み取りのための設定に従って前記画像を読み取って画像データを生成する読取手段と
を備えることを特徴とする。